【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】
少なくとも３以上の色材による画像を形成する画像処理装置であって、
２つの異なる色の色材から成る２次色の複数のパッチを生成する第１の生成手段と、
前記パッチを測定する第１の測定手段と、
前記パッチの測定結果、前記２次色が所定関係となる前記２つの色材それぞれに対応する階調補正特性を算出する第１の補正特性算出手段と、
前記階調補正特性により補正された画像信号を用い前記２つの異なる色材用の画像信号と前記２つの色材以外の色材用の画像信号によりパッチ群を生成する第２の生成手段と、
前記第２の生成手段により生成されたパッチを測定する第２の測定手段と、
前記第２の測定手段の測定結果に基づき、前記２つの異なる色材以外の色材用の画像信号の階調補正特性を算出する第２の補正特性算出手段と
を有することを特徴とする画像処理装置。
【請求項２】
前記２つの異なる色材は、マゼンタとイエローであることを特徴とする請求項１に記載の画像処理装置。
【請求項３】
前記２つの異なる色材は前記少なくとも３つ以上の色材から選択可能であることを特徴とする請求項１に記載の画像処理装置。
【請求項４】
前記所定関係とは、前記２次色の色相がほぼ一定でかつ彩度リニアとなる関係であることを特徴とする請求項１に記載の画像処理装置。
【請求項５】
前記第２の補正特性算出手段は、無彩色の再現を再現するべく前記２つの異なる色材以外の色材用の画像信号の階調補正特性を算出することを特徴とする請求項１に記載の画像処理装置。
【請求項６】
前記３以上の色材それぞれに対し、単色のターゲットを記憶する記憶手段を更に有し、所定タイミングごとに前記単色ターゲットを用いて、キャリブレーションを行うことを特徴とする請求項１に記載の画像処理装置。
【請求項７】
少なくとも３以上の色材による画像を形成する画像処理方法であって、
２つの異なる色の色材から成る２次色の複数のパッチを生成し、
前記パッチを測定し、
前記パッチの測定結果、前記２次色が所定関係となる前記２つの色材それぞれに対応する階調補正特性を算出し、
前記階調補正特性により補正された画像信号を用い前記２つの異なる色材用の画像信号と前記２つの色材以外の色材用の画像信号によりパッチ群を生成し、
前記パッチ群を測定し、
前記パッチ群の測定結果に基づき、前記２つの異なる色材以外の色材用の画像信号の階調補正特性を算出する
ことを特徴とする画像処理方法。
【請求項８】
少なくとも３以上の色材による画像を形成する画像処理方法を実現するプログラムであって、
２つの異なる色の色材から成る２次色の複数のパッチを生成するコード、
前記パッチを測定するコード、
前記パッチの測定結果、前記２次色が所定関係となる前記２つの色材それぞれに対応する階調補正特性を算出するコード、
前記階調補正特性により補正された画像信号を用い前記２つの異なる色材用の画像信号と前記２つの色材以外の色材用の画像信号によりパッチ群を生成するコード、
前記パッチ群を測定するコード、および
前記パッチ群の測定結果に基づき、前記２つの異なる色材以外の色材用の画像信号の階調補正特性を算出するコード
を備えることを特徴とするプログラム。
【請求項９】
画像処理方法であって、
第１のパッチを用いて、２次色の色相、彩度の補償する第1のキャリブレーションを行い、
第２のパッチを用いて、前記２次色を補償した上で、グレイ再現性を補償する第２のキャリブレーションを行う
ことを特徴とする画像処理方法。
【手続補正２】
【補正対象書類名】明細書
【補正対象項目名】０００４
【補正方法】変更
【補正の内容】
【０００４】
図１５に示すように、印刷用ＩＣＣプロファイルとプリンタ用ＩＣＣプロファイルの内容は、測色器を用いたパッチの色測定に基づき、それぞれ、印刷機およびプリンタに依存しない色空間である、例えばＣＩＥ  Ｌ＊ａ＊ｂ＊色空間（ＣＩＥは国際照明委員；Commission Internationale de l'Eclairageの略）に対応付けて校正されており、これにより、印刷機で印刷する色とプリンタでプリントする色を一致させることができる。そして、カラー・マネージメント・モジュール（ＣＭＭ）は、これらのプロファイルを用いて色変換を行うことによりプリント・データを作成することができる。
【手続補正３】
【補正対象書類名】明細書
【補正対象項目名】００１３
【補正方法】変更
【補正の内容】
【００１３】
【課題を解決するための手段】
このような目的を達成するために、請求項１に記載の発明は、少なくとも３以上の色材による画像を形成する画像処理装置であって、２つの異なる色の色材から成る２次色の複数のパッチを生成する第１の生成手段と、前記パッチを測定する第１の測定手段と、
前記パッチの測定結果、前記２次色が所定関係となる前記２つの色材それぞれに対応する階調補正特性を算出する第１の補正特性算出手段と、前記階調補正特性により補正された画像信号を用い前記２つの異なる色材用の画像信号と前記２つの色材以外の色材用の画像信号によりパッチ群を生成する第２の生成手段と、前記第２の生成手段により生成されたパッチを測定する第２の測定手段と、前記第２の測定手段の測定結果に基づき、前記２つの異なる色材以外の色材用の画像信号の階調補正特性を算出する第２の補正特性算出手段とを有することを特徴とするものである。
【手続補正４】
【補正対象書類名】明細書
【補正対象項目名】００１４
【補正方法】削除
【補正の内容】
【手続補正５】
【補正対象書類名】明細書
【補正対象項目名】００４４
【補正方法】変更
【補正の内容】
【００４４】
この場合のマトリクス・パッチとして、Ｒｅｄのパッチ作成時と同様に、間引きパッチを採用するが、Ｒｅｄの階調特性は階調補正を行ったものであり、それぞれのパッチ画像がどの程度の色度になるかというものも予測が容易である。また、Ｒｅｄの階調に対してどの程度のＣｙａｎを混ぜれば無彩色になるかの検証であり、Ｒｅｄを変化させる必要はないことから、Ｒｅｄ（ＹｅｌｌｏｗとＭａｇｅｎｔａ）の階調特性を決定したときよりも少ない、１５８６パッチとした。このときのパッチ概念図を図５に示す。図５（ａ）は、基本のＲｅｄ階調が横方向に変化し、縦方向には同じＲｅｄ階調が並ぶように配置し、そして各Ｒｅｄ階調パッチに対して、そのＲｅｄパッチのレベルに対して±３０の範囲を２レベルずつＣｙａｎのレベルを変化させたパッチのマトリクスを示し、出力するパッチの範囲を斜線部で示した図である。この図の四角の点線部の詳細を図５（ｂ）に示している。図５（ｂ）の数字は、パッチを生成するＣｙａｎの信号レベル（０〜２５５）を示している。ただし、横方向に一部省略している。また、図５（ｂ）の左端の０が示す横列の数字は、Ｒｅｄの、言い替えれば、ＹとＭの信号レベルを示している。一例を挙げれば、左端から７つ目の縦列の数字列（１０、１２、１４、１６、１８、２０、２２、２４）は、Ｒｅｄの２４の信号レベルに対して、Ｃｙａｎの信号レベルを１０〜２４、そして不図示であるが、２４〜３８の間の計１５個のレベルとしたパッチの信号を生成することを示している。したがって、図５に示す図において、各パッチの信号レベルは、横方向にＲｅｄのレベルが変化し、例えば、右が下がり方向にＣｙａｎのレベルが変化していることになる。
【手続補正６】
【補正対象書類名】明細書
【補正対象項目名】００５０
【補正方法】変更
【補正の内容】
【００５０】
このような方法によって算出した階調性を、画像形成装置に持たせることにより、課題であったＲｅｄを指示する画像信号を出力した際の色相変動による色の変化が抑えられ、ＤＴＰで頻繁に用いられるＲｅｄのグラデーションや肌色の滑らかさを再現しやすい画像形成装置を提供することができる。